(57)【要約】  本発明は、異なる産業から及び屋外の捨て場から直接的に回収されると共に再利用される、低密度ポリエチレン及び廃棄物の木粉の混合物を含む再構成された木材組成物に関係する。本発明の組成物は、工程にかけられると共に、その結果として、それを、異なる建築物についての住居、戸の枠、窓の枠、及び、装飾材料のような、付属物用の代替の建設材料へと変形する特性を獲得する。本発明は、低いコストで木材の外観及び作業性を提供すると共に、以下に続く利点、すなわち：不燃性、絶縁性、熱的な絶縁性、不浸透性、展延性、及び急速な据え付け、を提示することによって天然の資源を凌駕さえする。加えて、その組成物は、いずれの建築物においても使用されたときの一般的な気候の条件に対して高度に抵抗性のものである。【特許請求の範囲】
【請求項１】
人工的な木材の組成物を製作するための方法であって、
それが、以下に続くステップ：
ａ）６０℃から１００℃までの、好ましくは８５℃の、温度で、５０％から９０％までの、好ましくは７５％の、百分率における、ポリエチレンの廃棄物を加熱する；
ｂ）１０％から５０％までの、好ましくは２５％の、百分率における鋸屑の粉末と該ポリエチレンの廃棄物を混合する；
ｃ）５０℃から２５℃までの、好ましくは３５℃の、温度のところまで該混合物を冷却する；
ｄ）型に該均質な混合物を置く
ことからなることを特徴とする、方法。
【請求項２】
ポリエチレンの廃棄物が、低密度のものであると共に全ての種類の廃棄物のボトルから選択されることを特徴とする、請求項１に記載の方法。
【請求項３】
人工的な木材の組成物であって、
それは、５０％から９０％までの、好ましくは７％％の、低密度ポリエチレン、１０％から５０％までの、好ましくは２５％の、鋸屑を含有すると共に、該低密度ポリエチレンは、再利用されたプラスチックから作られた異なる種類のボトルから選択されることを特徴とする、人工的な木材の組成物。
【請求項４】
戸の枠において、いずれの基礎構造の装飾材料においても、使用される、請求項１及び２のいずれかの一つに記載のものに基づいて得られた、請求項３に記載の人工的な木材の組成物。
【発明の詳細な説明】
【技術分野】
【０００１】
この発明は、人工的な木材、より詳しくは、原料として鋸屑の粉末及びポリエチレンを含有する人工的な木材の組成物を、それの製造及び使用のみならず、参照する。
【０００２】
人工的な木材の組成物は、異なる産業から及び屋外のごみの捨て場から直接的に、回収された且つ再利用された、低密度ポリエチレン及び廃棄物の鋸屑の粉末の混合物である；ある工程に提出されたとき、それは、それを、様々な設立のための成型物のみならず、ハウジング、戸の枠、窓、及び付属品用の代替の建設材料へと変形する特徴を獲得すると共にさらに、低いコストで外観及び管理能力において木材を置換すると共に、いずれの建築物にも使用されたときの一般的な気候の効果に対する強力な抵抗性を有することに加えて；軟質の且つ迅速に据え付けられたものである、不燃性の、絶縁性の、熱的な、防水性の材料であるという利点と共に天然の資源を凌駕する。
【背景技術】
【０００３】
我々の国における天然の資源の一定の森林再生は、世界中の科学者を、木の節度のない切断を低減する代替の材料について調査することに導いてきた。この材料は、鋸屑の粉末及びポリエチレンのような固体の廃棄物を回収するが、一度屋外のごみの捨て場に置かれると、熱の作用を通じて燃焼に入るときそれが解放する毒性のガス及び発生させられた莫大な量の寄生生物及び細菌の理由のために、それは、健康に対する脅威になるという理由のために、それの大きい量並びに異なる最適化及び再利用の理由のために、それは、主要な汚染物質の一つを構成する。
【０００４】
この材料は、様々な設立について成型物のみならず、ハウジング、戸及び窓の枠、並びに付属品の建設における基本的な材料としての従来の木材を置換するが、天然の資源としての木材の消費を低減すると共にコストを切り詰める代替の材料を作り出すことによって、生態学的な均衡を保存することを援助する。
【０００５】
この材料の基礎として役に立つ原料は、プラスチックのストロー、カップ、ボトル、容器、袋、などの形態で、ごみの捨て場における固体の廃棄物において、見出された、鋸屑の粉末及び低密度ポリエチレンであると共に、それらを混合することができるものであり、様々な形態が建築されることもあるものと容易に成形可能なものである物質は、機能及び外観において従来の木材を置換するものである。
【０００６】
米国特許第２，７００，７９６号明細書（特許文献１）は、人工的な木製の生産物を得る方法を与えるが、そこでは、異なるタイプの木材からの廃棄物が、使用されると共に、尿素、ジメチル尿素、及び水と混合された不均質の質量を形成する；様々な生産物が生産される質量を得る。
【０００７】
英国特許第５９８５５３号明細書（特許文献２）は、鋸屑と合成樹脂を混合することによって、人工的な木材の生産における改善を記載する；しかしながら、それは、この発明において提案したような人工的な木材を得るためのポリエチレンの使用を記載するものではない。
【０００８】
特開２０００−０８４９０９号公報（特許文献３）は、メチル＝クロリドに基づいた有機溶剤を付加的に使用する、廃棄物の紙の材料に基づいた人工的な木材の製造のための方法を記載する；しかしながら、それは、このような方法において鋸屑を使用するものではない。
【０００９】
韓国特許第９７０１５２１号明細書（特許文献４）は、廃棄物のプラスチック及び繊維に基づいた人工的な木材の製造のための方法を記載する；しかしながら、それは、その生産物を得るためには、鋸屑と組み合わせられた低密度ポリエチレンの使用を記載するものではないと共に、それらは、この発明において使用される。
【特許文献１】米国特許第２，７００，７９６号明細書
【特許文献２】英国特許第５９８５５３号明細書
【特許文献３】特開２０００−０８４９０９号公報
【特許文献４】韓国特許第９７０１５２１号明細書
【発明の開示】
【課題を解決するための手段】
【００１０】
この発明の組成物は、驚くべきことにそれの百分率が、それに圧縮の効果及び先に知られてきたものではない耐久性を与えるという理由のために、上述した文献のものと異なるものである。
【００１１】
本発明は、容器に５０％から９０％までの、好ましくは７５％の、量の低密度ポリエチレンを置くことに帰する人工的な木材を生産する方法を参照するが、そこでは、それが、６０℃から１００℃までの、好ましくは８５℃の、温度で加熱されることになる、一度そのポリエチレンが、液体の形態をとると、それは、混合機に置かれるが、そこでは、１０％から５０％までの、好ましくは２５％の、鋸屑が、加えられる、すなわち、使用されたポリエチレンの３／４の部分毎に、鋸屑の１／４の部分が、混合される。
【発明を実施するための最良の形態】
【００１２】
一度その鋸屑の混合物統合されたと共に均質な混合物が得られてしまったときには、その混合物は、それが、５０℃から２５℃までの、好ましくは３５℃の、温度に到達するまで、冷却するために放置される、一度その物質の合計の量の８０％が、暗いシロップの成形可能な条件を得てしまったときには、その混合物は、所望の最終的な構成に従って、その型へと注入されるが、それは、１０から２０トンまでの、好ましくは１５トンの、範囲にわたる圧力へ提出されるものとする。
【００１３】
その木材の組成物は、５０％から９０％までの、好ましくは７％の、低密度ポリエチレン、１０％から５０％までの、好ましくは２５％の、鋸屑を含有すると共に、そのポリエチレンは、異なる種類の再利用されたプラスチックボトルから選択される。
【００１４】
この生産物の主要な特性は、２０キログラムの低密度ポリエチレン及び三キログラムの鋸屑毎に、九キログラムの混合物が、得られることであるが、それと比例して、直線的なメートル当たり三キログラムの重量を備えた、直線的な三メートルの型又は枠が、作られる。
【００１５】
一度それら材料が、その木材の混合物の組成物において一緒に置かれると、蒸発させられる毒性の要素は、除去されると共に、環境のような、（再利用の最適化によって）その程度には土壌をもはや汚染するものではないと共に、一度それが冷たいものであると共に圧縮されると、汚染する要素を中和するであろう、不活性な材質がそこに残留する。
【００１６】
その人工的な木材の組成物の特性は、Ｍａｄｅｒａｃｅｌと名付けられるものである。
【００１７】
−  容易に輸送される
−  迅速に置かれると共に適用される
−  操作することが容易なもの
−  それの起源の理由のために防水性のもの
−  普通の木材との比較において湿気で膨潤するものではない
−  真菌類及び黴の形成を回避する
−  蛾及び白蟻のような悪疫によって影響を及ぼされるものではない
−  それの高い締め固めのトン数の理由のために、燃焼するものではない
−  特殊化された材料が、それを生産するために、要求されるものではない
−  それの外観及び機能について木材に等しい
−  仕上げが、明白なものであると共に普通の木材のようにワニスを塗られることもある
−  適用されるためには、熟練工の労働を要求するものではない
−  建築計画に対する限定が、それが、様々な用途及び形態において使用されることもあるとすると、無いものである。
【実施例１】
【００１８】
例１
容器において、異なる種類のプラスチックのボトルからの７５キログラムの廃棄物は、９５℃で加熱されたと共に、その混合物を２５キログラムの鋸屑と混合するが、それは、後で、４０℃の温度まで冷却されたと共に、型に置かれた、成形可能な物質を得るが、それは、それが従来の木材として使用されることを許容する特性を備えた生産物に帰する最終的な結果を伴って、１５トンの圧力へ提出された。
【実施例２】
【００１９】
例２
容器において、異なる種類のプラスチックの３７．５キログラムの廃棄物のボトルは、８５℃の温度で加熱されたと共に１２．５キログラムの鋸屑と混合されるが、それは、後で、３５℃の温度まで冷却されたと共に、型に置かれた、成形可能な物質を得るが、それは、それが従来の木材として使用されることを許容する特性を備えた生産物に帰する最終的な結果を伴って、１５．５トンの圧力へ提出された。
【００２０】
この発明が、それの特定の様相を参照すると共に、ここに記載されてきたとはいえ、様々な変化及び置換が、上の記載において提案されると共に、人は、ある一定の事例において、本発明のいくつかの特性が、以下に続く特許請求の範囲において確立されたような本発明の範囲から離れることなく、他の特性に対応する使用無しに使用されることもあることを、認識することもある。
【００２１】
私は、本日まで、上述した発明を実現するためには、出願人によって知られた最良の方法が、本発明のこの記載から明りょうに結果として生じるものであるということを公言する。
【００２２】
上の発明を記載してきたが、以下に続く特許請求の範囲の内容が、所有権として請求される：
【国際調査報告】
2008511476.tif 000002
2008511476.tif 000003
2008511476.tif 000004
2008511476.tif 000005
2008511476.tif 000006
2008511476.tif 000007